(57)【要約】【課題】ＲＦ受信回路の受信感度に影響しないようにクロック信号の周波数を調整することができる受信装置の提供。【解決手段】受信した周波数信号と局部発振器にて生成された局部発振周波数信号とを混合して中間周波数信号を生成するミキサ、通過可能な周波数信号の中心周波数と周波数帯域とが設定されるＩＦフィルタ、及びミキサより出力されＩＦフィルタを通過した中間周波数信号を復調する復調部を備える受信装置であって、周波数帯域を分割した複数の部分帯域の夫々にてＩＦフィルタを通過した信号の信号強度を測定する測定部と、測定部により測定された各部分帯域の信号強度に基づき、周波数帯域に局部発振周波数信号の高調波成分が含まれるか否かを判定する判定部と、高調波成分が含まれると判断した場合、局部発振器が生成する局部発振周波数信号の周波数を変更する周波数変更部とを備える。【選択図】図５
2017175554.tif 000002
【特許請求の範囲】
【請求項１】
受信した周波数信号と局部発振器にて生成された局部発振周波数信号とを混合して中間周波数信号を生成するミキサ、通過可能な周波数信号の中心周波数と周波数帯域とが設定されるＩＦ（Intermediate Frequency）フィルタ、及び前記ミキサより出力され前記ＩＦフィルタを通過した中間周波数信号を復調する復調部を備える受信装置であって、
前記周波数帯域を分割した複数の部分帯域の夫々にて前記ＩＦフィルタを通過した信号の信号強度を測定する測定部と、
該測定部により測定された各部分帯域の信号強度に基づき、前記周波数帯域に前記局部発振周波数信号の高調波成分が含まれるか否かを判定する判定部と、
前記高調波成分が含まれると判断した場合、前記局部発振器が生成する局部発振周波数信号の周波数を変更する周波数変更部と
を備える受信装置。
【請求項２】
前記判定部は、
前記測定部により測定された各部分帯域における信号強度と予め設定された閾値強度との高低を比較する比較部
を備え、
前記複数の部分帯域のうち、１つの部分帯域における信号強度のみが前記閾値強度より高い場合、前記周波数帯域に前記局部発振周波数信号の高調波成分が含まれると判定する
請求項１に記載の受信装置。
【請求項３】
前記局部発振器により生成される局部発振周波数信号の周波数と、前記局部発振周波数信号に含まれる周波数誤差とに基づき、前記局部発振周波数信号の高調波成分が取り得る周波数の範囲を算出する算出部と、
該算出部により算出した範囲の周波数が前記周波数帯域に含まれない場合、前記測定部による信号強度の測定を停止する停止部と
を備える請求項１又は請求項２に記載の受信装置。
【請求項４】
前記局部発振器は、
基準信号を生成する基準発振器と、
出力すべき局部発振周波数信号を分周して帰還信号を生成する分周器と、
前記帰還信号の位相と前記基準信号の位相とを比較し、比較結果に応じた信号を出力する位相比較器と、
該位相比較器から出力される信号に応じた制御電圧を生成するループフィルタと、
前記制御電圧に応じて発振周波数を変化させることにより、局部発振周波数信号を生成する電圧制御発振器と
を備え、
前記周波数変更部は、
前記分周器の分周数を変更することにより、前記局部発振器が生成する局部発振周波数信号の周波数を変更する
請求項１から請求項３の何れか１つに記載の受信装置。
【発明の詳細な説明】
【技術分野】
【０００１】
本発明は、無線により送信される周波数信号を受信する受信装置に関する。
【背景技術】
【０００２】
メカニカルキーを用いることなく、車両ドアの施錠及び解錠を可能にするドアロックシステムが実用化されている。このようなドアロックシステムの１つであるキーレスエントリシステムでは、例えば携帯機に設けられた操作部（ロックボタン又はアンロックボタン）に対する操作をユーザが行った場合に、携帯機から車載機へ操作信号を送信し、当該操作信号を受信した車載機が車両ドアを施錠又は解錠する処理を行う。
【０００３】
また、上記ドアロックシステムの１つであるパッシブエントリシステムでは、ユーザがドアハンドルを握ったことを接触センサにより検出した場合、車載機は車両に設けられた複数のＬＦ送信アンテナ（LF : Low Frequency）からウェイクアップ信号を送信し、ユーザが携帯する携帯機を起動させる。起動した携帯機は自身の存在を示す所定の信号を車載機へ送信する。車載機は携帯機からの所定の信号を受信した場合、携帯機の位置を検出するための検出用信号をＬＦ送信アンテナから送信する。携帯機は各送信ＬＦ送信アンテナから送信された検出用信号を受信し、受信信号強度を測定する。そして、携帯機は測定した受信信号強度の情報を車載機へ送信する。車載機は、携帯機から送信された受信信号強度の情報を受信し、携帯機が車外にあるか否かを判定し、判定結果に応じた処理を実行する。例えば、携帯機が車外に位置している場合、車載機は車両ドアを施錠又は解錠する処理を実行する。
【０００４】
上記のキーレスエントリシステムやパッシブエントリシステム等のドアロックシステムでは、携帯機から車載機へ送信する無線信号として、ＲＦ帯（RF : Radio Frequency）の周波数信号が一般的に用いられている。このため、携帯機から送信されるＲＦ帯の周波数信号を受信するために、車載機にはＲＦ受信回路が設けられている。
【０００５】
車載機側のＲＦ受信回路にてＲＦ帯の周波数信号を受信する際、車載機で使用するクロック信号の高調波成分がＲＦ受信回路の受信帯域内に一定レベル以上で入ってきた場合、その高調波成分が妨害波となり、受信感度が劣化してしまうという問題点を有している。
【０００６】
クロック信号の高調波成分を除去するために、例えば特許文献１では、ＲＦ受信回路における受信周波数に最も近接するクロック高調波を計算により導出し、計算結果に従ってクロック信号の周波数を調整することにより、クロック信号の高調波成分が受信帯域内に入らないように制御する技術が提案されている。
【先行技術文献】
【特許文献】
【０００７】
【特許文献１】特開２００１−２４５３８号公報
【発明の概要】
【発明が解決しようとする課題】
【０００８】
しかしながら、クロック信号発生回路から出力されるクロック信号の周波数には、クロック信号発生回路の個体差、温度特性等に起因した誤差が含まれており、その高調波成分にもばらつきが生じるため、必ずしも計算通りの周波数関係にはならない。このため、特許文献１のように、計算によりクロック信号の高調波成分を導出したとしても、実際にはクロック信号の高調波成分がＲＦ受信帯域内に入る場合があり、受信感度が劣化する虞があるという問題点を有している。
【０００９】
本発明は、斯かる事情に鑑みてなされたものであり、クロック信号発生回路の個体差及び温度特性に伴うクロック周波数にばらつきが存在する場合であっても、ＲＦ受信回路の受信感度に影響しないようにクロック信号の周波数を調整することができる受信装置を提供することを目的とする。
【課題を解決するための手段】
【００１０】
本発明の一態様に係る受信装置は、受信した周波数信号と局部発振器にて生成された局部発振周波数信号とを混合して中間周波数信号を生成するミキサ、通過可能な周波数信号の中心周波数と周波数帯域とが設定されるＩＦ（Intermediate Frequency）フィルタ、及び前記ミキサより出力され前記ＩＦフィルタを通過した中間周波数信号を復調する復調部を備える受信装置であって、前記周波数帯域を分割した複数の部分帯域の夫々にて前記ＩＦフィルタを通過した信号の信号強度を測定する測定部と、該測定部により測定された各部分帯域の信号強度に基づき、前記周波数帯域に前記局部発振周波数信号の高調波成分が含まれるか否かを判定する判定部と、前記高調波成分が含まれると判断した場合、前記局部発振器が生成する局部発振周波数信号の周波数を変更する周波数変更部とを備える。
【発明の効果】
【００１１】
本願によれば、クロック信号発生回路の個体差及び温度特性に伴うクロック周波数にばらつきが存在する場合であっても、ＲＦ受信回路の受信感度に影響しないようにクロック信号の周波数を調整することができる。
【図面の簡単な説明】
【００１２】
【図１】実施の形態１に係る受信装置の構成を説明するブロック図である。
【図２】ＲＦ受信周波数とクロック高調波との関係を説明する説明図である。
【図３】ＲＦ受信周波数と周波数誤差を考慮したクロック高調波との関係を説明する説明図である。
【図４】クロック高調波の検出手法を説明する説明図である。
【図５】受信装置の制御部が実行する処理の手順を説明するフローチャートである。
【図６】実施の形態２に係る受信装置の制御部が実行する処理の手順を説明するフローチャートである。
【発明を実施するための形態】
【００１３】
本発明の実施態様を列記して説明する。また、以下に記載する実施形態の少なくとも一部を任意に組み合わせてもよい。
【００１４】
本願の一態様に係る受信装置は、受信した周波数信号と局部発振器にて生成された局部発振周波数信号とを混合して中間周波数信号を生成するミキサ、通過可能な周波数信号の中心周波数と周波数帯域とが設定されるＩＦ（Intermediate Frequency）フィルタ、及び前記ミキサより出力され前記ＩＦフィルタを通過した中間周波数信号を復調する復調部を備える受信装置であって、前記周波数帯域を分割した複数の部分帯域の夫々にて前記ＩＦフィルタを通過した信号の信号強度を測定する測定部と、該測定部により測定された各部分帯域の信号強度に基づき、前記周波数帯域に前記局部発振周波数信号の高調波成分が含まれるか否かを判定する判定部と、前記高調波成分が含まれると判断した場合、前記局部発振器が生成する局部発振周波数信号の周波数を変更する周波数変更部とを備える。
【００１５】
上記一態様にあっては、ＩＦフィルタにて設定されている受信周波数帯域内に局部発振周波数信号の高調波成分が含まれる可能性があるか否かを信号強度の測定結果に基づき判定するため、クロック信号発生回路の個体差及び温度特性に伴うクロック周波数にばらつきが存在する場合であっても、高調波成分の有無を的確に判定することができ、ＲＦ受信回路の受信感度に影響しないようにクロック信号の周波数を調整することができる。
【００１６】
本願の一態様に係る受信装置は、前記判定部は、前記測定部により測定された各部分帯域における信号強度と予め設定された閾値強度との高低を比較する比較部を備え、前記複数の部分帯域のうち、１つの部分帯域における信号強度のみが前記閾値強度より高い場合、前記周波数帯域に前記局部発振周波数信号の高調波成分が含まれると判定する。
【００１７】
上記一態様にあっては、ＩＦフィルタで使用されている周波数帯域に局部発振周波数信号の高調波成分のみが存在する場合と、高調波成分以外に他の妨害波が存在する場合とを区別することができる。
【００１８】
本願の一態様に係る受信装置は、前記局部発振器により生成される局部発振周波数信号の周波数と、前記局部発振周波数信号に含まれる周波数誤差とに基づき、前記局部発振周波数信号の高調波成分が取り得る周波数の範囲を算出する算出部と、該算出部により算出した範囲に属する周波数が前記周波数帯域に含まれない場合、前記測定部による信号強度の測定を停止する停止部とを備える。
【００１９】
上記一態様にあっては、局部発振周波数信号の高調波成分がＩＦフィルタで使用されている周波数帯域に入る可能性がない場合、信号強度の測定を停止できるので受信装置における負荷を軽減することができる。
【００２０】
本願の一態様に係る受信装置は、前記局部発振器は、基準信号を生成する基準発振器と、出力すべき局部発振周波数信号を分周して帰還信号を生成する分周器と、前記帰還信号の位相と前記基準信号の位相とを比較し、比較結果に応じた信号を出力する位相比較器と、該位相比較器から出力される信号に応じた制御電圧を生成するループフィルタと、前記制御電圧に応じて発振周波数を変化させることにより、局部発振周波数信号を生成する電圧制御発振器とを備え、前記周波数変更部は、前記分周器の分周数を変更することにより、前記局部発振器が生成する局部発振周波数信号の周波数を変更する。
【００２１】
上記一態様にあっては、分周器の分周数を変更して、局部発振周波数信号の周波数を変更することにより、局部発振周波数信号の高調波成分がＩＦフィルタで使用されている周波数帯域に入ってこないように制御することができる。
【００２２】
以下、本発明をその実施の形態を示す図面に基づいて具体的に説明する。
（実施の形態１）
図１は実施の形態１に係る受信装置の構成を説明するブロック図である。実施の形態１に係る受信装置１０は、例えば車両に搭載される無線通信装置であり、ＲＦ受信アンテナ１１、ＲＦ受信部１２、ミキサ１３、ＩＦ受信部１４、復調部１５、ＲＳＳＩ（Received Signal Strength Indicator）検出部１６、制御部１７、及びＰＬＬ（Phase Locked Loop）部１８を備える。
【００２３】
ＲＦ受信部１２は、ＲＦ受信アンテナ１１に接続されており、ＲＦ受信アンテナ１１を通じて受信したＲＦ周波数帯の周波数信号をミキサ１３へ出力する。
【００２４】
ミキサ１３は、ＲＦ受信部１２から出力される周波数信号と、ＰＬＬ部１８から出力される局部発振周波数信号とを混合して中間周波数信号を生成し、後段のＩＦ受信部１４へ出力する。
【００２５】
ＩＦ受信部１４は、通過可能な周波数信号の中心周波数と周波数帯域とが設定されたＩＦフィルタを含んでおり、ミキサ１３を通じて入力される中間周波数信号のうち、所望の周波数成分を有する信号を通過させる。なお、ＩＦ受信部１４を通過させる信号の中心周波数及び周波数帯域は、制御部１７からの制御により変更可能であるとする。
【００２６】
復調部１５は、ＩＦ受信部１４を通過した中間周波数信号を復調し、復調後の信号を後段の制御部１７へ出力する。
【００２７】
ＲＳＳＩ検出部１６は、ＩＦ受信部１４から入力される信号の信号強度を測定し、測定結果（ＲＳＳＩ出力レベル）を制御部１７へ出力する。本実施の形態では、ＰＬＬ部１８から出力されるクロック信号（局部発振周波数信号）の高調波成分に起因した受信感度の劣化を回避するための処理を行う際、通常の無線通信で用いる周波数帯域を複数の部分帯域に分割して、それぞれの部分帯域で信号強度を測定し、各部分帯域における信号強度を制御部１７へ出力する。
【００２８】
制御部１７は、例えば、ＣＰＵ（Central Processing Unit）、ＲＯＭ（Read Only Memory）、ＥＥＰＲＯＭ（Electronically Erasable Programmable Read Only Memory）などを備える。制御部１７が備えるＣＰＵは、ＲＯＭに格納された制御プログラムを実行することにより、受信装置１０が備える上記ハードウェアの動作を制御し、機器全体を本願に係る受信装置として機能させる。また、制御部１７が備えるＥＥＰＲＯＭは、ＩＦ受信部１４、ＰＬＬ部１８等を制御するために必要な情報を記憶する。なお、制御部１７は、計測開始指示を与えてから計測終了指示を与えるまでの経過時間を計測するタイマ、数をカウントするカウンタ等の機能を備えていてもよい。
【００２９】
制御部１７は、復調部１５を通じて入力される信号に応じて適宜の処理を行う。制御部１７が実行する処理は任意であり、例えば、制御部１７に入力された信号に基づいて各種の演算を行う処理、制御部１７に接続された各種機器（不図示）を制御する処理、制御部１７に接続された各種機器と通信する処理等であってもよい。
【００３０】
また、制御部１７は、ＰＬＬ部１８が出力するクロック信号の高調波成分がＩＦ受信部１４の受信帯域内に入ることに伴う受信感度の低下を回避するために、ＲＳＳＩ検出部１６の検出結果を利用してＰＬＬ部１８の制御を行う。制御部１７によるＰＬＬ部１８の制御手法については後に詳述することとする。
【００３１】
ＰＬＬ部１８は、例えば、基準発振器１８１、フラクショナル分周器１８２、位相比較器１８３、ループフィルタ１８４、及びＶＣＯ（Voltage Controlled Oscillator）１８５を備える。
【００３２】
基準発振器１８１は、例えば水晶発振器、セラミック発振器等であり、基準周波数を有する基準信号を生成して位相比較器１８３へ出力する。フラクショナル分周器１８２は、ＶＣＯ１８５が出力するクロック信号の周波数を制御部１７により制御される分周数で分周して帰還信号を生成し、生成した帰還信号を位相比較器１８３へ出力する。
【００３３】
位相比較器１８３は、基準発振器１８１より入力される基準信号の位相と、フラクショナル分周器１８２より入力される帰還信号の位相とを比較し、その位相差に応じた信号（誤差信号）を生成してループフィルタ１８４へ出力する。ループフィルタ１８４は、位相比較器１８３から入力された誤差信号を直流電圧に変換してＶＣＯ１８５に印加する。ＶＣＯ１８５は、ループフィルタ１８４から印加された直流電圧の大きさに応じて発振周波数を変化させ、クロック信号を生成する。ＶＣＯ１８５は、生成したクロック信号をミキサ１３及びフラクショナル分周器１８２へ出力する。
【００３４】
ＰＬＬ部１８は、ＶＣＯ１８５からの出力をフラクショナル分周器１８２に入力してフィードバック制御を行うことにより、ＶＣＯ１８５から出力されるクロック信号の位相を基準信号の位相に同期させる。
【００３５】
以下、受信装置１０が受信する信号の周波数（ＲＦ受信周波数）とクロック高調波との関係を説明する。
図２はＲＦ受信周波数とクロック高調波との関係を説明する説明図である。図２に示す説明図において、横軸は周波数を示している。受信装置１０のＩＦ受信部１４を通過可能な周波数信号の中心周波数（ＲＦ受信周波数）をｆ0 、帯域幅（ＲＦ受信帯域）をＢＷとしている。また、ＰＬＬ部１８がミキサ１３へ出力するクロック信号のクロック周波数をｆCLK とし、ＲＦ受信周波数ｆ0 に最も近接するクロック高調波の周波数をｍ・ｆCLK としている。
【００３６】
以下、一例として、ＲＦ受信周波数ｆ0 を３１５ＭＨｚ、ＲＦ受信帯域ＢＷを６００ｋＨｚ、クロック周波数ｆCLK のデフォルトの設定値を４ＭＨｚとした場合について説明する。
【００３７】
ＲＦ受信周波数ｆ0 を３１５ＭＨｚ、クロック周波数ｆCLK のデフォルトの設定値を４ＭＨｚとしたとき、クロック高調波の周波数ｍ・ｆCLK がＲＦ受信周波数ｆ0 に最も近接するのは、ｍ＝７９の場合（すなわち７９倍高調波の場合）であり、そのときのクロック高調波の周波数は３１６ＭＨｚとなる。同様に、次に近接するのは、ｍ＝７８の場合（すなわち７８倍高調波の場合）であり、そのときのクロック高調波の周波数は３１２ＭＨｚとなる。
【００３８】
ＲＦ受信帯域ＢＷをＲＦ受信周波数ｆ0 を中心に６００ｋＨｚとした場合、このＲＦ受信帯域ＢＷ（３１４．７ＭＨｚ〜３１５．３ＭＨｚ）に何れのクロック高調波も存在しないので、理想的には受信感度の劣化が生じることはないはずである。
【００３９】
しかしながら、基準発振器１８１で発振する基準信号には、基準発振器１８１の個体差、温度特性等に起因した周波数誤差が含まれるため、計算によって算出される理想的なクロック高調波の周波数がＲＦ受信帯域ＢＷ内に存在しない場合であっても、現実にはクロック高調波がＲＦ受信帯域ＢＷ内に入ってくる場合がある。
【００４０】
図３はＲＦ受信周波数と周波数誤差を考慮したクロック高調波との関係を説明する説明図である。図３に示す説明図において、横軸は周波数を示している。クロック高調波の周波数誤差±Δｆを例えば±５０００ｐｐｍとした場合、上述した７９倍クロック高調波は、３１６±１．５８（＝３１６×０．００５）ＭＨｚの周波数範囲、すなわち３１４．４２〜３１７．５８ＭＨｚの範囲の値を取り得る。よって、理想的な７９倍クロック高調波の周波数（＝３１６ＭＨｚ）ではＲＦ受信感度に影響しないものの、条件によっては７９倍高調波がＲＦ受信帯域ＢＷ（３１４．７ＭＨｚ〜３１５．３ＭＨｚ）の範囲内に入ってくるので、ＲＦ受信感度が劣化してしまう状況が起こり得る。
【００４１】
一方、７８倍クロック高調波は、３１２±１．５６（＝３１２×０．００５）ＭＨｚの周波数範囲、すなわち３１０．４４〜３１３．５６Ｍｚの範囲の値を取り得る。この場合、７８倍クロック高調波の理想的な周波数（＝３１２ＭＨｚ）から最大限にずれたとしても、ＲＦ受信帯域ＢＷ（３１４．７ＭＨｚ〜３１５．３ＭＨｚ）内に入ることはないので、７８倍クロック高調波によるＲＦ受信感度の劣化は生じないと判定することができる。
【００４２】
本実施の形態に係る受信装置１０では、上述したような基準発振器１８１から発振される基準信号の周波数誤差に起因したＲＦ受信感度の劣化を回避するために、外部無線機と無線通信を行っていない状況下で信号強度（ＲＳＳＩ出力レベル）を測定し、その測定結果に基づいて、ＲＦ受信帯域ＢＷ内にクロック高調波が含まれているか否かの判定を行う。
【００４３】
図４はクロック高調波の検出手法を説明する説明図である。本実施の形態に係る受信装置１０は、クロック高調波の有無を判定する際、ＲＦ受信帯域ＢＷを複数の部分帯域に分割し、外部無線機と通常の無線通信を行っていない状況下で、それぞれの部分帯域において信号強度を測定する。各部分帯域における中心周波数（ＲＦ受信周波数）をｆ01 ，ｆ02，…，ｆ0nとし、それぞれのＲＦ受信帯域幅をΔＢＷ（＝ＢＷ／ｎ，ｎは２以上の整数）として、以下の説明を行う。
【００４４】
制御部１７は、まず、ＩＦ受信部１４のＲＦ受信周波数をｆ01に設定し、ＲＦ受信帯域幅をΔＢＷに設定した後、ＲＳＳＩ検出部１６より出力されるＲＳＳＩ出力レベルを取得する。制御部１７は、取得したＲＳＳＩ出力レベルと予め設定した閾値レベルＮｄＢｍとの高低を比較し、ＲＳＳＩ出力レベルが閾値レベルＮｄＢｍより高い場合、クロック高調波の候補であると判定する。また、ＲＳＳＩ出力レベルが閾値レベルＮｄＢｍより低い場合、クロック高調波の候補でないと判定する。
【００４５】
次に、制御部１７は、ＲＦ受信帯域幅ΔＢＷを一定としたまま、ＩＦ受信部１４のＲＦ受信周波数をｆ02に変更し、ＲＳＳＩ検出部１６から出力されるＲＳＳＩ出力レベルを取得する。制御部１７は、前述と同様に、取得したＲＳＳＩ出力レベルと予め設定した閾値レベルＮｄＢｍとの高低を比較し、ＲＳＳＩ出力レベルが閾値レベルＮｄＢｍより高い場合、クロック高調波の候補であると判定する。また、ＲＳＳＩ出力レベルが閾値レベルＮｄＢｍより低い場合、クロック高調波の候補でないと判定する。
【００４６】
制御部１７は、ＩＦ受信部１４の受信周波数をｆ03，…，ｆ0nに順次変更して、それぞれの部分帯域においてＲＳＳＩ検出部１６から出力されるＲＳＳＩ出力レベルを取得し、閾値レベルＮｄＢｍとの比較により、クロック高調波の候補の有無を判定する。
【００４７】
制御部１７は、全ての部分帯域にクロック高調波の候補が存在しないと判定した場合、元のＲＦ受信帯域ＢＷ内にクロック高調波は存在しないと判定する。なお、クロック高調波がＲＦ受信帯域ＢＷ内に存在する場合であっても、そのクロック高調波のＲＳＳＩレベルが閾値レベルＮｄＢｍ未満であるときには、ＲＦ受信感度に影響しないため、元のＲＦ受信帯域ＢＷにクロック高調波は存在しないと判定してもよい。
【００４８】
また、制御部１７は、何れか１つの部分帯域でクロック高調波の候補が存在すると判定した場合、その部分帯域のＲＦ受信周波数がクロック高調波に対応する周波数であると判定することができる。このとき、制御部１７は、ＲＦ受信帯域ＢＷ内にクロック信号の高調波成分が入ってこないようにクロック周波数の制御を行う。具体的には、クロック高調波の周波数がｆ0k（１≦ｋ≦ｎ）であるとした場合、高調波成分が（ＢＷ／２）−（ｆ0k−ｆ0 ）＋αだけずれるように、制御部１７はＰＬＬ部１８が備えるフラクショナル分周器１８２の分周数を制御する。ここで、αはマージンを考慮した定数である。
【００４９】
一方、制御部１７は、２つ以上の部分低域にクロック高調波の候補が存在すると判定した場合、他の妨害波が存在していることを示唆しており、クロック高調波を特定することができないので、クロック周波数の制御を保留する。
【００５０】
以下、受信装置１０の動作について説明する。
図５は受信装置１０の制御部１７が実行する処理の手順を説明するフローチャートである。受信装置１０の制御部１７は、外部無線機と無線通信を行っていないタイミングにて以下の処理を実行する。なお、外部無線機と無線通信を行っていないタイミングは、復調部１５から入力される信号に基づいて制御部１７が判断してもよい。また、制御部１７は、定期的なタイミング、又は図に示していない操作部を通じてユーザにより指示されたタイミングで以下の処理を実行してもよい。
【００５１】
制御部１７は、カウンタの値をｉ＝１に初期化し（ステップＳ１０１）、ＩＦ受信部１４が備えるＩＦフィルタのＲＦ受信周波数をｆ0i、ＲＦ受信帯域幅をΔＢＷに設定する（ステップＳ１０２）。このとき、制御部１７は、ＲＦ受信帯域ＢＷの分割数（例えば１０個）を予め設定しておき、分割数とＲＦ受信帯域ＢＷの範囲とから、各ＲＦ受信周波数ｆ0i及びＲＦ受信帯域幅ΔＢＷの値を導出してもよい。
【００５２】
次いで、制御部１７は、ＲＳＳＩ検出部１６から出力されるＲＳＳＩレベルを取得し（ステップＳ１０３）、取得したＲＳＳＩレベルが閾値レベルＮｄＢｍより高いか否かを判断する（ステップＳ１０４）。ＲＳＳＩレベルが閾値レベルＮｄＢｍより高いと判断した場合、制御部１７は、ステップＳ１０２で設定したＲＦ受信周波数ｆ0iを、ＰＬＬ部１８から出力されるクロック信号の高調波成分の候補の１つとして記憶する（ステップＳ１０５）。
【００５３】
次いで、制御部１７は、カウンタの値をｉ＝ｉ＋１にインクリメントし（ステップＳ１０６）、ｉ≧ｎであるか否かを判断する（ステップＳ１０７）。ここで、ｎはＲＦ受信帯域ＢＷの分割数であり、例えばｎ＝１０である。
【００５４】
ｉ＜ｎである場合（Ｓ１０７：ＮＯ）、制御部１７は、処理をステップＳ１０２へ戻す。
【００５５】
ｉ≧ｎである場合（Ｓ１０７：ＹＥＳ）、すなわちｎ個の部分帯域についてＲＳＳＩレベルの測定が完了した場合、制御部１７は、記憶した高調波成分の候補の数が１個以上であるか否かを判断する（ステップＳ１０８）。記憶した高調波成分の候補の数が０個である場合（Ｓ１０８：ＮＯ）、ＲＦ受信帯域ＢＷ内にクロック信号の高調波成分が存在しないと判断できるため、制御部１７は、クロック周波数を変更する制御を行わずに本フローチャートによる処理を終了する。
【００５６】
高調波成分の候補の数が１個以上である場合（Ｓ１０８：ＹＥＳ）、制御部１７は、高調波成分の候補の数が１個のみであるか否かを判断する（ステップＳ１０９）。
【００５７】
高調波成分の数が１個のみである場合（Ｓ１０９：ＹＥＳ）、ＲＦ受信帯域ＢＷ内にクロック信号の高調波成分が存在すると判断できるため、制御部１７は、クロック周波数を変更する制御を行う（ステップＳ１１０）。具体的には、クロック高調波の周波数がｆ0k（１≦ｋ≦ｎ）であるとした場合、高調波成分が（ＢＷ／２）−（ｆ0k−ｆ0 ）＋αだけずれるように、制御部１７は、ＰＬＬ部１８が備えるフラクショナル分周器１８２の分周数を制御する。ここで、αはマージンを考慮した定数である。
【００５８】
なお、ステップＳ１１０でクロック周波数を変更する制御を行った後、制御部１７は、ステップＳ１０１へ処理を戻し、再度ステップＳ１０１〜Ｓ１０８の処理を実行することにより、ＲＦ受信帯域ＢＷ内にクロック信号の高調波成分が存在しないことを確認する処理を行ってもよい。この確認処理において、再度閾値レベルＮｄＢｍより高い信号を検出した場合、他の妨害波を含む可能性があるので、制御部１７は、クロック周波数の制御を保留し、本フローチャートによる処理を終了する。
【００５９】
一方、高調波成分の候補の数が１個でない場合（Ｓ１０９：ＮＯ）、すなわち高調波成分の候補の数が２個以上である場合、他の妨害波が存在していることを示唆しており、クロック高調波を特定することができないので、制御部１７は、クロック周波数の制御を保留し（ステップＳ１１１）、本フローチャートによる処理を終了する。
【００６０】
以上のように、本実施の形態では、ＩＦ受信部１４に設定されているＲＦ受信周波数帯域内にクロック信号の高調波成分が含まれる可能性があるか否かを信号強度の測定結果に基づき判定する構成であるため、基準発振器１８１の個体差及び温度特性に伴うクロック周波数にばらつきが存在する場合であっても、高調波成分の有無を的確に判定することができ、ＩＦ受信部１４の受信感度に影響しないようにクロック信号の周波数を調整することができる。
【００６１】
（実施の形態２）
実施の形態１では、受信装置１０が外部無線機と無線通信を行っていないタイミングにて、上記の判定処理を実行する構成としたが、クロック信号の周波数誤差±Δｆを考慮したとしても、高調波成分の取り得る周波数がＲＦ受信帯域ＢＷ内に入ってこなければ、ＲＦ受信感度の劣化が生じることはないため、上記の判定処理を停止してもよい。
実施の形態２では、判定処理の要否を判断する構成について説明する。なお、受信装置１０の内部構成については実施の形態１と全く同様であるため、その説明を省略することとする。
【００６２】
図６は実施の形態２に係る受信装置１０の制御部１７が実行する処理の手順を説明するフローチャートである。受信装置１０の制御部１７は、外部無線機と無線通信を行っていないタイミングにて以下の処理を実行する。なお、外部無線機と無線通信を行っていないタイミングは、復調部１５から入力される信号に基づいて制御部１７が判断してもよい。また、制御部１７は、定期的なタイミング、又は図に示していない操作部を通じてユーザにより指示されたタイミングで以下の処理を実行してもよい。
【００６３】
受信装置１０の制御部１７は、まずＩＦ受信部１４におけるＲＦ受信周波数ｆ0 に最も近接するクロック高調波の周波数ｍ・ｆCLK を算出する（ステップＳ２０１）。実施の形態１に示した例では、ＲＦ受信周波数３１５ＭＨｚに最も近接するクロック高調波の周波数として、３１６ＭＨｚが算出される。
【００６４】
次いで、制御部１７は、クロック信号の周波数誤差±Δｆを考慮して、ＲＦ受信周波数ｆ0 に最も近接するクロック高調波が取り得る周波数の範囲を算出する（ステップＳ２０２）。実施の形態１に示した例では、周波数誤差±Δｆを±５０００ｐｐｍとしているので、クロック高調波が取り得る周波数の範囲は３１６±１．５８ＭＨｚの範囲（すなわち３１４．４２〜３１７．５８ＭＨｚ）となる。
【００６５】
次いで、制御部１７は、算出した範囲内の周波数がＲＦ受信帯域ＢＷに含まれるか否かを判断する（ステップＳ２０３）。実施の形態１に示した例では、ＲＦ受信周波数ｆ0 に最も近接するクロック高調波が取り得る範囲（３１４．４２〜３１７．５８ＭＨｚ）の周波数は、ＲＦ受信帯域ＢＷ（３１４．７〜３１５．３ＭＨｚ）に含まれるので、理想的な７９倍クロック高調波の周波数（＝３１６ＭＨｚ）ではＲＦ受信感度には影響しないものの、条件によっては７９倍高調波がＲＦ受信帯域ＢＷ（３１４．７ＭＨｚ〜３１５．３ＭＨｚ）の範囲内に入り、ＲＦ受信感度が劣化してしまう状況が起こり得る。よって、制御部１７は、算出した範囲内の周波数がＲＦ受信帯域ＢＷに含まれると判断した場合（Ｓ２０３：ＹＥＳ）、ＲＳＳＩレベルの測定に基づく判定処理が必要であると判断する（ステップＳ２０４）。なお、判定処理が必要であると判断した場合、制御部１７は、図５に示す手順に従って判定処理を実行する。
【００６６】
一方、算出した範囲内の周波数がＲＦ受信帯域ＢＷに含まれない場合（Ｓ２０３：ＮＯ）、クロック高調波がＲＦ受信帯域ＢＷ内に入ってくる可能性がないため、制御部１７は、ＲＳＳＩレベルの測定に基づく判定処理が不要であると判断する（ステップＳ２０５）。
【００６７】
以上のように、実施の形態２では、クロック高調波がＲＦ受信帯域ＢＷに入る可能性がない場合には、ＲＳＳＩレベルの測定に基づく判定処理を省略することができ、受信装置１０における負荷を軽減することができる。
【００６８】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【符号の説明】
【００６９】
１０  受信装置
１１  ＲＦ受信アンテナ
１２  ＲＦ受信部
１３  ミキサ
１４  ＩＦ受信部
１５  復調部
１６  ＲＳＳＩ検出部
１７  制御部
１８  ＰＬＬ部
１８１  基準発振器
１８２  フラクショナル分周器
１８３  位相比較器
１８４  ループフィルタ
１８５  ＶＣＯ
【図１】
2017175554.tif 000003
【図２】
2017175554.tif 000004
【図３】
2017175554.tif 000005
【図４】
2017175554.tif 000006
【図５】
2017175554.tif 000007
【図６】
2017175554.tif 000008